(57)【特許請求の範囲】
【請求項１】
筐体と、
前記筐体に対して引き出し自在に設けられ、棒金硬貨を収納する棒金収納部を有する収納ドロアと、
前記筐体からの前記収納ドロアの引き出しをそれぞれ阻止／容認するロック／ロック解除を行うロック機構と、
前記ロック機構による前記収納ドロアのロック／ロック解除を制御する制御部と、
前記制御部における、前記ロック機構による前記収納ドロアのロック／ロック解除に関する制御内容を変更する変更手段と、
を備え、
前記変更手段は、予め設定された複数の制御モードから一の制御モードを選択することにより、前記制御部における前記ロック機構による前記収納ドロアのロック及びロック解除に関する制御内容を変更することで前記ロック機構によって前記収納ドロアがロック／ロック解除される条件を変更することを特徴とする棒金収納庫。
【請求項２】
筐体と、
前記筐体に対して引き出し自在に設けられ、棒金硬貨を収納する棒金収納部を有する収納ドロアと、
前記筐体からの前記収納ドロアの引き出しをそれぞれ阻止／容認するロック／ロック解除を行うロック機構と、
前記ロック機構による前記収納ドロアのロック／ロック解除を制御する制御部と、
前記制御部における、前記ロック機構による前記収納ドロアのロック／ロック解除に関する制御内容を変更する変更手段と、
を備え、
前記変更手段は、予め設定された複数の制御モードから一の制御モードを選択することにより前記制御部における制御内容を変更し、
前記複数の制御モードは、
（ｉ）前記制御部に対してロック解除指令が与えられる度に前記収納ドロアのロック解除が行われ、前記筐体から引き出された前記収納ドロアが前記筐体に戻されると当該収納ドロアが前記ロック機構によりロックされるコマンドモードと、
（ｉｉ）前記制御部に対してロック指令が与えられている間以外の期間は前記筐体から前記収納ドロアが引き出し自在となる開放モードと、
を含むことを特徴とする棒金収納庫。
【請求項３】
前記コマンドモードにおいて、前記棒金収納庫とは別に設けられた釣銭機においてエラーが発生したとき、前記釣銭機においてリジェクト貨幣が生じたとき、前記棒金収納庫に収納された貨幣以外のものを返却する必要が生じたとき、および／または前記釣銭機が故障して前記棒金収納庫を釣銭機として用いる必要が生じたときに、前記制御部に対してロック解除指令が与えられるようになっていることを特徴とする請求項２記載の棒金収納庫。
【請求項４】
前記制御部に対してロック解除指令を与える条件を、前記棒金収納庫とは別に設けられた釣銭機においてエラーが発生したとき、前記釣銭機においてリジェクト貨幣が発生したとき、前記棒金収納庫に収納された貨幣以外のものを返却する必要が生じたとき、および前記釣銭機が故障することにより前記棒金収納庫を前記釣銭機として用いる必要が生じたときの中から１または複数設定することができるとともに設定内容が変更可能となっていることを特徴とする請求項３記載の棒金収納庫。
【請求項５】
前記開放モードにおいて、前記制御部に対して、前記棒金収納庫への棒金硬貨の補充指令、前記棒金収納庫とは別に設けられた釣銭機への硬貨の装填指令、または前記棒金収納庫からの棒金硬貨の回収指令が与えられている間は、前記筐体から前記収納ドロアが引き出し自在となることを特徴とする請求項２記載の棒金収納庫。
【請求項６】
前記変更手段において、前記棒金収納庫に収納されるものが棒金硬貨のみである場合には前記制御モードとして前記開放モードが選択され、前記棒金収納庫に棒金硬貨以外のものを収納することができる場合には前記制御モードとして前記コマンドモードが選択されるようになっていることを特徴とする請求項２乃至５のいずれか一項に記載の棒金収納庫。
【請求項７】
前記変更手段は、前記筐体または前記収納ドロアに対して取り外し自在となっているスイッチからなり、前記筐体または前記収納ドロアに取り付けられる前記スイッチの種類を変えることにより前記制御部における制御内容が変更されることを特徴とする請求項１乃至６のいずれか一項に記載の棒金収納庫。
【請求項８】
前記変更手段は、前記棒金収納庫とは別の装置から当該棒金収納庫に送信された信号に基づいて、前記制御部における制御内容を変更することを特徴とする請求項１乃至６のいずれか一項に記載の棒金収納庫。
【発明の詳細な説明】
【技術分野】
【０００１】
本発明は、棒金硬貨を収納する棒金収納庫に関し、とりわけ、棒金収納庫が様々な使用目的に用いられる際に、収納ドロアのロック方法として、これらの様々な使用目的の各々に適した方法を適宜用いることができる棒金収納庫に関する。
【背景技術】
【０００２】
従来から、棒金硬貨を収納する棒金収納庫として、様々な種類のものが知られている（例えば、特許文献１乃至５参照）。一般的に、棒金収納庫は、略直方体形状の筐体と、この筐体に対して水平方向に引き出し自在に設けられた収納ドロアとを備えており、収納ドロアには、棒金硬貨を収納する棒金収納部が設けられている。また、棒金収納庫には、筐体からの収納ドロアの引き出しをそれぞれ阻止／容認するロック／ロック解除を行うロック機構が設けられている。すなわち、ロック機構が収納ドロアのロックを行っている間は筐体から収納ドロアを引き出すことができず、一方、ロック機構が収納ドロアのロック解除を行ったときに筐体から収納ドロアを引き出すことができるようになる。このようなロック機構が設けられていることにより、棒金収納庫に収納された棒金硬貨が第三者により持ち出されることを防止することができる。
【０００３】
従来の棒金収納庫においては、ロック機構による収納ドロアのロック／ロック解除についての制御方法として、様々なものがあった。
【０００４】
例えば、特許文献１、５等に示される棒金収納庫では、通常時はロック機構により収納ドロアがロックされ筐体から収納ドロアを取り出すことができないようになっており、ロック解除指令が棒金収納庫の制御部に与えられる度に収納ドロアのロック解除が行われるようになっている。また、この棒金収納庫では、筐体から引き出された収納ドロアが筐体に戻されるとこの収納ドロアがロック機構によりロックされるようになっている。このような棒金収納庫では、ロック機構による収納ドロアのロック／ロック解除に関して専用のソフトウエアを開発する必要がないので導入障壁が低いという利点がある。しかしながら、操作者が操作ミスにより筐体から引き出された収納ドロアを誤って筐体に戻してしまったら再度ロック解除指令を与えなければならず、使い勝手が低下するという問題がある。
【０００５】
一方、特許文献２、３、４等に示される棒金収納庫では、制御ユニットに対してロック指令が与えられている間以外の期間は筐体から収納ドロアが引き出し自在となっている。このような棒金収納庫では、操作者が操作ミスにより筐体から引き出された収納ドロアを誤って筐体に戻してしまっても収納ドロアを筐体から再度引き出すことができるので使い勝手が良くなり、また、専用のソフトウエアを開発することにより収納ドロアの引き出し可能なタイミングを決定できるのでセキュリティーの確保が実現可能であるという利点がある。しかしながら、前述のようにロック機構による収納ドロアのロック／ロック解除に関して専用のソフトウエアを開発する必要があるため導入障壁が高く、また、制御ユニットに対してロック指令が与えられている間以外の期間は収納ドロアをいつでも筐体から引き出すことができるので悪意ある第三者により棒金硬貨が盗まれてしまうおそれがあるという問題がある。
【０００６】
上述のように、ロック機構による収納ドロアのロック／ロック解除についての制御方法として１種類のものしか用いられない場合には、様々な不都合が生じるおそれがある。
【先行技術文献】
【特許文献】
【０００７】
【特許文献１】特許第４３１６３０３号公報
【特許文献２】特開２００７−２４９４０５号公報
【特許文献３】特開２００９−１９３２２４号公報
【特許文献４】特開２００８−２９９５６７号公報
【特許文献５】特開２００９−２７６８１７号公報
【発明の概要】
【発明が解決しようとする課題】
【０００８】
本発明は、このような点を考慮してなされたものであり、変更手段により、ロック機構による収納ドロアのロック／ロック解除に関する制御内容を変更することができるので、棒金収納庫が様々な使用目的に用いられる際に、収納ドロアのロック方法として、これらの様々な使用目的の各々に適した方法を適宜用いることができる棒金収納庫を提供することを目的とする。
【課題を解決するための手段】
【０００９】
本発明は、筐体と、前記筐体に対して引き出し自在に設けられ、棒金硬貨を収納する棒金収納部を有する収納ドロアと、前記筐体からの前記収納ドロアの引き出しをそれぞれ阻止／容認するロック／ロック解除を行うロック機構と、前記ロック機構による前記収納ドロアのロック／ロック解除を制御する制御部と、前記制御部における、前記ロック機構による前記収納ドロアのロック／ロック解除に関する制御内容を変更する変更手段と、を備えたことを特徴とする棒金収納庫である。
【００１０】
このような棒金収納庫によれば、制御部によりロック機構による収納ドロアのロック／ロック解除が制御されるようになっており、変更手段により、制御部における、ロック機構による収納ドロアのロック／ロック解除に関する制御内容が変更されるようになっている。このように変更手段により、ロック機構による収納ドロアのロック／ロック解除に関する制御内容を変更することができるので、棒金収納庫が様々な使用目的に用いられる際に、収納ドロアのロック方法として、これらの様々な使用目的の各々に適した方法を適宜用いることができる。
【００１１】
本発明の棒金収納庫においては、前記変更手段は、予め設定された複数の制御モードから一の制御モードを選択することにより前記制御部における制御内容を変更するようになっていてもよい。
【００１２】
この際に、前記複数の制御モードは、（ｉ）前記制御部に対してロック解除指令が与えられる度に前記収納ドロアのロック解除が行われ、前記筐体から引き出された前記収納ドロアが前記筐体に戻されると当該収納ドロアが前記ロック機構によりロックされるコマンドモードと、（ｉｉ）前記制御部に対してロック指令が与えられている間以外の期間は前記筐体から前記収納ドロアが引き出し自在となる開放モードと、を含むようになっていてもよい。この場合には、例えば、売り場のレジ等に釣銭機とともに棒金収納庫を設置する場合には、制御モードとしてコマンドモードを選択し、サービスカウンタや後方の金庫室等に棒金収納庫を単体で設置する場合には、制御モードとして開放モードを選択することで、収納ドロアのロック方法を、棒金収納庫の使用目的に応じて適宜変更することができる。
【００１３】
本発明の棒金収納庫においては、前記コマンドモードにおいて、前記棒金収納庫とは別に設けられた釣銭機においてエラーが発生したとき、前記釣銭機においてリジェクト貨幣が生じたとき、前記棒金収納庫に収納された貨幣以外のものを返却する必要が生じたとき、および／または前記釣銭機が故障して前記棒金収納庫を釣銭機として用いる必要が生じたときに、前記制御部に対してロック解除指令が与えられるようになっていてもよい。
【００１４】
この際に、前記制御部に対してロック解除指令を与える条件を、前記棒金収納庫とは別に設けられた釣銭機においてエラーが発生したとき、前記釣銭機においてリジェクト貨幣が発生したとき、前記棒金収納庫に収納された貨幣以外のものを返却する必要が生じたとき、および前記釣銭機が故障することにより前記棒金収納庫を前記釣銭機として用いる必要が生じたときの中から１または複数設定することができるとともに設定内容が変更可能となっていてもよい。
【００１５】
また、前記開放モードにおいて、前記制御部に対して、前記棒金収納庫への棒金硬貨の補充指令、前記棒金収納庫とは別に設けられた釣銭機への硬貨の装填指令、または前記棒金収納庫からの棒金硬貨の回収指令が与えられている間は、前記筐体から前記収納ドロアが引き出し自在となっていてもよい。
【００１６】
本発明の棒金収納庫においては、前記変更手段において、前記棒金収納庫に収納されるものが棒金硬貨のみである場合には前記制御モードとして前記開放モードが選択され、前記棒金収納庫に棒金硬貨以外のものを収納することができる場合には前記制御モードとして前記コマンドモードが選択されるようになっていてもよい。
【００１７】
本発明の棒金収納庫においては、前記変更手段は、前記筐体または前記収納ドロアに対して取り外し自在となっているスイッチからなり、前記筐体または前記収納ドロアに取り付けられる前記スイッチの種類を変えることにより前記制御部における制御内容が変更されるようになっていてもよい。
【００１８】
あるいは、前記変更手段は、前記棒金収納庫とは別の装置から当該棒金収納庫に送信された信号に基づいて、前記制御部における制御内容を変更するようになっていてもよい。
【発明の効果】
【００１９】
本発明の棒金収納庫によれば、棒金収納庫が様々な使用目的に用いられる際に、収納ドロアのロック方法として、これらの様々な使用目的の各々に適した方法を適宜用いることができる。
【図面の簡単な説明】
【００２０】
【図１】本発明の一の実施の形態による棒金収納庫の斜視図である。
【図２】図１に示す棒金収納庫において、筐体から収納ドロアを引き出したときの状態を示す斜視図である。
【図３】図１等に示す棒金収納庫における収納ドロアの構成を示す上面図である。
【図４】図１等に示す棒金収納庫における収納ドロアおよび筐体を側方から見たときの概略的な構成を示す概略側面図である。
【図５】図１等に示す棒金収納庫に設けられたロック機構の構成を示す構成図であって、収納ドロアの前面が筐体の前面と略面一となった閉鎖位置にあるときの状態を示す図である。
【図６】図１等に示す棒金収納庫に設けられたロック機構の構成を示す構成図であって、図５に示すような状態から収納ドロアが筐体の内部奥方に更に押し込まれ、収納ドロアの前面が筐体の前面から少し引っ込んだ押込位置にあるときの状態を示す図である。
【図７】図１等に示す棒金収納庫における制御部の構成を示す制御ブロック図である。
【図８】図１等に示す棒金収納庫に釣銭機が併設された貨幣処理システムの構成を示す斜視図である。
【図９】図８に示す貨幣処理システムの構成を示す構成図である。
【図１０】図１等に示す棒金収納庫の動作を示すフローチャートである。
【図１１】本実施の形態による棒金収納庫の他の構成を示す斜視図である。
【発明を実施するための形態】
【００２１】
以下、図面を参照して本発明の一の実施の形態について説明する。図１乃至図１１は、本実施の形態に係る棒金収納庫およびこの棒金収納庫を備えた貨幣処理システムを示す図である。
【００２２】
図１および図２は、本実施の形態に係る棒金収納庫１０の斜視図である。棒金収納庫１０は、略直方体形状の筐体１２と、筐体１２に対して引き出し自在に設けられた収納ドロア１４とを有している。図１は、棒金収納庫１０の筐体１２に収納ドロア１４を完全に収容したときの状態を示し、図２は、棒金収納庫１０の筐体１２から収納ドロア１４を手前側に引き出したときの状態を示している。
【００２３】
また、図３は、図１等に示す棒金収納庫１０における収納ドロア１４の上面図であり、図４は、図１等に示す棒金収納庫１０における収納ドロア１４および筐体１２を側方から見たときの概略的な構成を示す概略側面図である。図２および図３に示すように、収納ドロア１４は、棒金を収納する棒金収納部１６と、当該棒金収納部１６に対して引き出し方向手前側に配置され、紙葉類または棒金硬貨以外の硬貨を収納する補助収納部２０とを有している。棒金収納部１６には、１つの棒金硬貨を収納する棒金収納部分１６ａが複数設けられている。補助収納部２０は、現金以外の紙葉類を収納する現金外紙葉類収納部分２１と、予備紙幣を収納する予備紙幣収納部分２２と、予備硬貨を収納する予備硬貨収納部分２３と、異常硬貨を収納する異常硬貨収納部分２４と、余った硬貨を収納する余剰硬貨収納部分２５と、を有している。なお、現金以外の紙葉類とは、例えば小切手や商品券等のことをいい、異常硬貨とは、例えば汚損の激しい硬貨等のことをいう。
【００２４】
また、図４に示すように、棒金収納部１６に収納された棒金硬貨を検出する検出センサ２６が筐体１２に設けられている。より詳細には、検出センサ２６は、筐体１２の下面内方に設けられ光を発光する発光部分２６ａと、筐体１２の上面内方に設けられ発光部分２６ａによって発光された光を受光する受光部分２６ｂとを有している。これらの発光部分２６ａおよび受光部分２６ｂは、筐体１２に収容された収納ドロア１４を上下方向から挟むよう設けられている。また、図３に示すように、棒金収納部１６の下面にはスリット３１、３２、３３が設けられており、検出センサ２６は、各スリット３１、３２、３３に対応して筐体１２の幅方向に沿って３つ設置されている。すなわち、各検出センサ２６の発光部分２６ａから発光された光は、それぞれ、各スリット３１、３２、３３内を通過して各受光部分２６ｂにより受光されるようになっている。棒金収納部１６の棒金収納部分１６ａに棒金硬貨が収納されている場合には、各検出センサ２６の発光部分２６ａから発光された光は棒金収納部分１６ａ内の棒金硬貨により遮られて各受光部分２６ｂに届かなくなり、このことにより各検出センサ２６は各棒金収納部分１６ａ内の棒金硬貨を検出する。
【００２５】
また、図５および図６に示すように、筐体１２にはロック機構６０が設けられている。このロック機構６０は、筐体１２からの収納ドロア１４の引き出しをそれぞれ阻止／容認するロック／ロック解除を行うようになっている。なお、図５は、収納ドロア１４の前面が筐体１２の前面と略面一となった閉鎖位置にあるときの状態を示し、図６は、図５に示すような状態から収納ドロア１４が筐体１２の内部奥方に更に押し込まれ、収納ドロア１４の前面が筐体１２の前面から少し引っ込んだ押込位置にあるときの状態を示している。また、図５および図６における右方は、棒金収納庫１０の前方を示している。すなわち、収納ドロア１４は図５および図６における右方向に引き出されるようになっている。図５および図６に示すように、収納ドロア１４の後部には横方向（図５および図６における上下方向）に延びる仕切板１４ａが設けられており、この仕切板１４ａの後方には、収納ドロア１４に対して固定されたロック板６５および遮光板６８が設けられている。また、これらのロック板６５および遮光板６８に対して、それぞれロックアーム６１および検出センサ２９が設けられている。ロックアーム６１および検出センサ２９は、それぞれ筐体１２に取り付けられている。また、スライド部材６６が筐体１２に対して図５および図６における横方向にスライド自在に設けられている。
【００２６】
検出センサ２９は、図５に示す収納ドロア１４の閉鎖位置において、遮光板６８を挟んで互いに対向した発光部分２９ａおよび受光部分２９ｂを有している。また、ロックアーム６１は、ロック板６５の前端と係合可能な係合部分６１ａと、当該ロックアーム６１を筐体１２に対して回動自在に取り付ける回動軸６２とを有している。このロックアーム６１に対しては、プル型ソレノイド等の駆動装置６９と、戻しバネ６３とが接続されている。これらの駆動装置６９および戻しバネ６３により、ロックアーム６１を、係合部分６１ａがロック板６５と係合可能なロック位置と、係合部分６１ａがロック板６５と係合しないように退避した解放位置との間で回動させることができるようになっている。
【００２７】
スライド部材６６には、このスライド部材６６を筐体１２に対して前方（図５および図６における右方）へ付勢する付勢バネ６７が接続されている。そして、図５に示す収納ドロア１４の閉鎖位置において、付勢バネ６７の付勢力により、スライド部材６６の前端部が仕切板１４ａに当接して収納ドロア１４を前方へわずかに付勢するようになっている。
【００２８】
ここで、これらのロックアーム６１、戻しバネ６３、ロック板６５、スライド部材６６、付勢バネ６７、遮光板６８、駆動装置６９等によりロック機構６０が構成されている。ロック機構６０に収納ドロア１４のロック／ロック解除の方法の詳細については後述する。
【００２９】
また、棒金収納庫１０には、当該棒金収納庫１０の各構成要素の制御を行う制御部４０が設けられている。図７は、棒金収納庫１０の制御部４０の構成を示す制御ブロック図である。図７に示すように、制御部４０は、検出センサ２６、ロック機構６０、検出センサ２９等にそれぞれ接続されている。制御部４０には各検出センサ２６、２９から検出信号が送られるようになっている。また、制御部４０は、ロック機構６０に指令信号を送り、当該ロック機構６０による収納ドロア１４のロック／ロック解除を制御するようになっている。
【００３０】
また、図７に示すように、制御部４０にはロータリエンコーダ４２が接続されている。このロータリエンコーダ４２は、収納ドロア１４と筐体１２との間に設けられており、筐体１２に対する収納ドロア１４の位置を検出することができるようになっている。制御部４０は、各検出センサ２６により検出された棒金硬貨の情報、およびロータリエンコーダ４２による位置情報に基づいて、棒金収納部１６の各棒金収納部分１６ａに収納される棒金硬貨の直径を検出し、この棒金硬貨の金種の判定を行うようになっている。
【００３１】
また、図７に示すように、制御部４０には変更手段４６が接続されている。この変更手段４６は、ロック機構６０による収納ドロア１４のロック／ロック解除に関する制御内容を変更するようになっている。より詳細には、変更手段４６は、予め設定された複数の制御モードから一の制御モードを選択することにより制御部４０におけるロック機構６０の制御内容を変更するようになっている。なお、予め設定された複数の制御モードの詳細については後述する。
【００３２】
変更手段４６として、例えば、棒金収納庫１０の筐体１２に対して取り外し自在となっているハードウェアスイッチ（専用コネクタ）が用いられるようになっている。このようなハードウェアスイッチは複数種類用意されており、各々の種類のハードウェアスイッチにはそれぞれ対応する制御モードが設定されるようになっている。そして、この筐体１２に取り付けられるハードウェアスイッチの種類を変えることにより制御部４０におけるロック機構６０の制御内容が変更されるようになっている。なお、変更手段４６としてのハードウェアスイッチは筐体１２に取り付けられる代わりに収納ドロア１４に取り付けられるようになっていてもよい。
【００３３】
また、図７に示すように、制御部４０には通信インターフェース４４が接続されており、この通信インターフェース４４を介して制御部４０は外部装置と信号の送受信を行うことができるようになっている。
【００３４】
また、図８に示すように、本実施の形態の棒金収納庫１０は、釣銭機５０が併設されるようになっていてもよい。釣銭機５０は、紙幣釣銭機５２および硬貨釣銭機５４から構成されており、これらの紙幣釣銭機５２および硬貨釣銭機５４はそれぞれ棒金収納庫１０の上面に左右に並ぶよう設置されるようになっている。
【００３５】
図９に、本実施の形態の棒金収納庫１０およびこの棒金収納庫１０に併設される釣銭機５０を有する貨幣処理システムの概略的な構成を示す。図９に示すように、貨幣処理システムには外部装置であるＰＯＳレジスタ５８が設けられており、このＰＯＳレジスタ５８は釣銭機５０に設けられた制御部５６と通信接続されている。また、釣銭機５０に設けられた制御部５６は、棒金収納庫１０に設けられた制御部４０と通信接続されている。このことにより、制御部４０は、釣銭機５０の制御部５６を介してＰＯＳレジスタ５８と信号の送受信を行うことができるようになっている。
【００３６】
なお、本実施の形態の棒金収納庫１０においては、釣銭機５０が併設されずに棒金収納庫１０が単体で用いられるようになっていてもよい。この場合には、棒金収納庫１０の制御部４０にＰＯＳレジスタ５８が直接的に接続されることとなる。
【００３７】
次に、変更手段４６により選択される、ロック機構６０に関する予め設定された複数の制御モードについて説明する。制御モードとしては、少なくとも、コマンドモードおよび開放モードの２つのモードが含まれる。
【００３８】
制御モードとしてコマンドモードが用いられる場合には、制御部４０に対してＰＯＳレジスタ５８等の外部装置から通信インターフェース４４を介してロック解除指令が与えられる度に収納ドロア１４のロック解除が行われるようになっている。そして、筐体１２から引き出された収納ドロア１４が筐体１２に戻されると、この収納ドロア１４がロック機構６０によりロックされるようになる。
【００３９】
一方、制御モードとして開放モードが用いられる場合には、制御部４０に対してＰＯＳレジスタ５８等の外部装置から通信インターフェース４４を介してロック指令が与えられている間以外の期間は、筐体１２から収納ドロア１４が引き出し自在となる。
【００４０】
次に、このような構成からなる棒金収納庫１０の動作について図１０に示すフローチャートを用いて以下に説明する。
【００４１】
まず、制御モードとしてコマンドモードが選択されている場合について説明する。具体的には、コマンドモードが設定されたハードウェアスイッチが棒金収納庫１０の筐体１２に取り付けられた場合に、変更手段４６において制御モードとしてコマンドモードが選択される。制御モードとしてコマンドモードが選択されたときに（図１０のＳＴＥＰ１の「ＹＥＳ」）、例えばＰＯＳレジスタ５８や釣銭機５０等から棒金収納庫１０の制御部４０にロック解除指令が与えられると（図１０のＳＴＥＰ３の「ＹＥＳ」）、この制御部４０はロック機構６０にロック解除指令を与え、ロック機構６０による収納ドロア１４のロックが解除される（図１０のＳＴＥＰ４）。
【００４２】
より具体的には、（Ａ）図８および図９に示すような棒金収納庫１０に併設された釣銭機５０においてエラーが発生したとき、（Ｂ）釣銭機５０においてリジェクト紙幣やリジェクト硬貨等のリジェクト貨幣が発生したとき、（Ｃ）棒金収納庫１０に収納された貨幣以外のものを返却する必要が生じたとき、および／または（Ｄ）釣銭機５０が故障して棒金収納庫１０を釣銭機として用いる必要が生じたときに、ＰＯＳレジスタ５８または釣銭機５０から棒金収納庫１０の制御部４０に対してロック解除指令が与えられる。ここで、棒金収納庫１０に収納された貨幣以外のものとは、例えば小切手や商品券等のことをいう。
【００４３】
なお、制御部４０に対してロック解除指令が与えられるタイミングとして、（Ａ）棒金収納庫１０に併設された釣銭機５０においてエラーが発生したときである理由としては、取引を継続するために、棒金収納庫１０に収納された貨幣等で対応しなければならないことが挙げられる。また、制御部４０に対してロック解除指令が与えられるタイミングとして、（Ｂ）釣銭機５０においてリジェクト貨幣が発生したときである理由としては、これらのリジェクト貨幣を棒金収納庫１０で保管させ、代わりの貨幣を棒金収納庫１０から取り出して釣銭機５０に収納しなければならないことが挙げられる。
【００４４】
また、制御部４０に対してロック解除指令を与える条件は、上述の（Ａ）〜（Ｄ）の中から１または複数設定することができるようになっている。また、この設定内容は変更可能となっている。具体的には、例えばＰＯＳレジスタ５８から棒金収納庫１０の制御部４０に指令を送ることにより、ロック解除指令を与える条件の設定や変更を行うことができるようになっている。
【００４５】
ロック機構６０による収納ドロア１４のロックが解除された後、操作者が収納ドロア１４に棒金硬貨を含む貨幣や貨幣以外のものを収納したり、収納ドロア１４から棒金硬貨を含む貨幣や貨幣以外のものを取り出したりする際の動作について以下に説明する。
【００４６】
図１０のＳＴＥＰ４に示すように収納ドロア１４のロック解除が行われた後、操作者が収納ドロア１４を図５に示す閉鎖位置から図６に示す押込位置まで手動で押し込むと、遮光板６８の後退により、検出センサ２９の発光部分２９ａから発光された光が受光部分２９ｂに受光されるようになる。これに応じて、駆動装置６９がロックアーム６１を図５に示すロック位置から解放位置へ回動させる。そこで収納ドロア１４を押し込んでいた力を緩めると、付勢バネ６７の付勢力により収納ドロア１４が閉鎖位置からわずかに引き出された位置まで前進する。これにより、操作者の手動による収納ドロア１４の引き出しが可能となる。
【００４７】
一方、筐体１２から引き出された収納ドロア１４を操作者が再び筐体１２に戻す動作は以下のように行われる。まず、操作者は引き出されていた収納ドロア１４を筐体１２に対して押し込む。この際に、収納ドロア１４を図６に示すような押込位置まで押し込むことにより、検出センサ２９において透光状態から遮光状態を経て再び透光状態に切り換わる。これに応じて、制御部４０が駆動装置６９を駆動させ、ロックアーム６１をロック位置へ回動させる。その後収納ドロア１４を押していた力を緩めると、付勢バネ６７の付勢力により収納ドロア１４が図５に示すような閉鎖位置まで戻ったところで、ロックアーム６１の係合部分６１ａがロック板６５と係合する。このようにして、収納ドロア１４が筐体１２に戻されると（図１０のＳＴＥＰ５の「ＹＥＳ」）、収納ドロア１４のロックが行われる（図１０のＳＴＥＰ６）。
【００４８】
その後、棒金収納庫１０において、各検出センサ２６により検出された棒金硬貨の情報、およびロータリエンコーダ４２による位置情報に基づいて、当該棒金収納庫１０の棒金収納部１６における棒金硬貨の在高確認が行われる。また、棒金収納庫１０やＰＯＳレジスタ５８等に設けられたプリンタ（図示せず）から取引レシートが発行される（図１０のＳＴＥＰ７）。このようにして、棒金収納庫１０における一連の動作が終了する。
【００４９】
次に、制御モードとして開放モードが選択されている場合について説明する。具体的には、開放モードが設定されたハードウェアスイッチが棒金収納庫１０の筐体１２に取り付けられた場合に、変更手段４６において制御モードとして開放モードが選択される。制御モードとして開放モードが選択されたときに（図１０のＳＴＥＰ２の「ＹＥＳ」）、例えばＰＯＳレジスタ５８や釣銭機５０等から棒金収納庫１０の制御部４０にロック指令が与えられている間以外の期間は（図１０のＳＴＥＰ８の「ＮＯ」）、収納ドロア１４のロックが解除され（図１０のＳＴＥＰ９）、筐体１２から収納ドロア１４が引き出し自在となる。
【００５０】
より具体的には、（ａ）制御部４０に対して棒金収納庫１０への棒金硬貨の補充指令が与えられている間、（ｂ）制御部４０に対して棒金収納庫１０とは別に設けられた釣銭機５０への硬貨の装填指令が与えられている間、または（ｃ）制御部４０に対して棒金収納庫１０からの棒金硬貨の回収指令が与えられている間は、制御部４０にロック指令が与えられることはない。この間に、筐体１２から収納ドロア１４が引き出し自在となる。
【００５１】
なお、筐体１２から収納ドロア１４が引き出し自在となるタイミングとして、（ａ）制御部４０に対して棒金収納庫１０への棒金硬貨の補充指令が与えられている間である理由としては、操作者が棒金収納庫１０の収納ドロア１４を筐体１２から引き出して棒金硬貨を収納ドロア１４に補充する必要があることが挙げられる。また、筐体１２から収納ドロア１４が引き出し自在となるタイミングとして、（ｂ）制御部４０に対して棒金収納庫１０とは別に設けられた釣銭機５０への硬貨の装填指令が与えられている間である理由としては、操作者が棒金収納庫１０の収納ドロア１４を筐体１２から引き出して、釣銭機５０に装填するための棒金硬貨を収納ドロア１４から取り出さなければならないことが挙げられる。なお、制御モードとして開放モードが選択されている場合には、釣銭機５０は必ずしも棒金収納庫１０のそばに設置される必要はない。また、筐体１２から収納ドロア１４が引き出し自在となるタイミングとして、（ｃ）制御部４０に対して棒金収納庫１０からの棒金硬貨の回収指令が与えられている間である理由としては、操作者が棒金収納庫１０の収納ドロア１４を筐体１２から引き出して、棒金硬貨の回収処理を行うために収納ドロア１４から棒金硬貨を取り出さなければならないことが挙げられる。
【００５２】
ＰＯＳレジスタ５８や釣銭機５０等から棒金収納庫１０の制御部４０にロック指令が与えられている間は、制御部４０はロック機構６０により収納ドロア１４をロックさせ続ける。具体的には、駆動装置６９がロックアーム６１を回動させることなくロック位置に維持させ続ける。このことにより、操作者が収納ドロア１４を図５に示す閉鎖位置から図６に示す押込位置まで手動で押し込んでも、ロック板６５がロックアーム６１の係合部分６１ａに引っかかることにより収納ドロア１４を筐体１２から引き出すことができないようになる。
【００５３】
一方、ＰＯＳレジスタ５８や釣銭機５０等から棒金収納庫１０の制御部４０にロック指令が与えられている間以外の期間は、制御部４０がロック機構６０による収納ドロア１４のロックを解除させ、収納ドロア１４を筐体１２から引き出し自在とする。具体的には、収納ドロア１４が筐体１２に収容されて図５に示すような閉鎖位置にあるときにこの収納ドロア１４を筐体１２の内部奥方に押し込むと、駆動装置６９がロックアーム６１を図５に示すロック位置から解放位置へ回動させることにより操作者の手動による収納ドロア１４の引き出しが可能となる。また、引き出されていた収納ドロア１４を筐体１２に対して押し込むと、駆動装置６９がロックアーム６１をロック位置へ回動させることにより収納ドロア１４が図５に示すような閉鎖位置で筐体１２に収容させるが、その後、操作者が収納ドロア１４を再び筐体１２の内部奥方に押し込むと、駆動装置６９がロックアーム６１を再び解放位置へ回動させることにより操作者の手動による収納ドロア１４の引き出しが可能となる。このようにして、ＰＯＳレジスタ５８や釣銭機５０等から棒金収納庫１０の制御部４０にロック指令が与えられている間以外の期間は、収納ドロア１４を筐体１２から自在に引き出すことができるようになる。
【００５４】
収納ドロア１４のロック解除が行われている状態において、ＰＯＳレジスタ５８や釣銭機５０等から棒金収納庫１０の制御部４０にロック指令が与えられると（図１０のＳＴＥＰ１０の「ＹＥＳ」）、制御部４０はロック機構６０により収納ドロア１４をロックさせる（図１０のＳＴＥＰ１１）。この場合には、操作者は収納ドロア１４を筐体１２から引き出すことができなくなる。その後、棒金収納庫１０において、各検出センサ２６により検出された棒金硬貨の情報、およびロータリエンコーダ４２による位置情報に基づいて、当該棒金収納庫１０の棒金収納部１６における棒金硬貨の在高確認が行われる。また、棒金収納庫１０やＰＯＳレジスタ５８等に設けられたプリンタ（図示せず）から補充レシートや回収レシートが発行される（図１０のＳＴＥＰ１２）。ここで、補充レシートは、制御部４０に対して棒金収納庫１０への棒金硬貨の補充指令が与えられたときに発行される。また、回収レシートは、棒金収納庫１０からの棒金硬貨の回収指令が制御部４０に与えられたときに発行される。このようにして、棒金収納庫１０における一連の動作が終了する。
【００５５】
上述のように、制御モードとしてコマンドモードが選択されると、（Ａ）棒金収納庫１０に併設された釣銭機５０においてエラーが発生したとき、（Ｂ）釣銭機５０においてリジェクト貨幣が発生したとき、（Ｃ）棒金収納庫１０に収納された貨幣以外のものを返却する必要が生じたとき、および／または（Ｄ）釣銭機５０が故障して棒金収納庫１０を釣銭機として用いる必要が生じたときに、収納ドロア１４のロック解除が行われ、筐体１２から引き出された収納ドロア１４が筐体１２に戻されると収納ドロア１４がロック機構６０によりロックされる。このため、売り場のレジ等に釣銭機５０とともに棒金収納庫１０を設置する場合には、制御モードとしてコマンドモードを選択することが望ましいと考えられる。この場合には、棒金収納庫１０は、釣銭機５０の運用をフォローするような運用フォロー機能を発揮することができることとなる。また、制御モードとしてコマンドモードが選択されると、筐体１２から収納ドロア１４を引き出した後にこの収納ドロア１４を筐体１２に戻すと収納ドロア１４はロックされるので、収納ドロア１４を筐体１２に戻した後に棒金収納庫１０に収納された貨幣等が第三者により持ち出されることを防止することができる。
【００５６】
一方、制御モードとして開放モードが選択されると、（ａ）制御部４０に対して棒金収納庫１０への棒金硬貨の補充指令が与えられている間、（ｂ）制御部４０に対して棒金収納庫１０とは別に設けられた釣銭機５０への硬貨の装填指令が与えられている間、または（ｃ）制御部４０に対して棒金収納庫１０からの棒金硬貨の回収指令が与えられている間は、制御部４０にロック指令が与えられることはなく、筐体１２から収納ドロア１４が引き出し自在となる。このため、サービスカウンタや後方の金庫室等に棒金収納庫１０を単体で設置する場合には、制御モードとして開放モードを選択することが望ましいと考えられる。この場合には、棒金収納庫１０は、棒金硬貨を収納するための金庫機能を発揮することとなる。また、制御モードとして開放モードが選択されると、操作者は、制御部４０に対してロック指令が与えられている間以外の期間において、自由なタイミングで収納ドロア１４の引き出しを行うことができる。また、収納ドロア１４を誤って筐体１２に収容させてしまった場合でも、この収納ドロア１４を筐体１２から再び引き出すことができるようになる。
【００５７】
以上のように本実施の形態の棒金収納庫１０においては、制御部４０によりロック機構６０による収納ドロア１４のロック／ロック解除が制御されるようになっており、変更手段４６により、制御部４０における、ロック機構６０による収納ドロア１４のロック／ロック解除に関する制御内容が変更されるようになっている。このように変更手段４６により、ロック機構６０による収納ドロア１４のロック／ロック解除に関する制御内容を変更することができるので、棒金収納庫１０が様々な使用目的に用いられる際に、収納ドロア１４のロック方法として、これらの様々な使用目的の各々に適した方法を適宜用いることができる。
【００５８】
また、上述のように、本実施の形態の棒金収納庫１０においては、変更手段４６は、予め設定された複数の制御モードから一の制御モードを選択することにより制御部４０における制御内容を変更するようになっている。より詳細には、複数の制御モードは、（ｉ）制御部４０に対してロック解除指令が与えられる度に収納ドロア１４のロック解除が行われ、筐体１２から引き出された収納ドロア１４が筐体１２に戻されると当該収納ドロア１４がロック機構６０によりロックされるコマンドモード（図１０のＳＴＥＰ３〜ＳＴＥＰ７参照）、および、（ｉｉ）制御部４０に対してロック指令が与えられている間以外の期間は筐体１２から収納ドロア１４が引き出し自在となる開放モード（図１０のＳＴＥＰ８〜ＳＴＥＰ１２参照）を含んでいる。
【００５９】
また、上述のように、本実施の形態の棒金収納庫１０においては、変更手段４６は、筐体１２に対して取り外し自在となっているハードウェアスイッチ等のスイッチからなり、筐体１２に取り付けられるスイッチの種類を変えることにより制御部４０における制御内容が変更されるようになっている。このため、店舗等における棒金収納庫１０の導入時に、適切な制御モードが設定されたスイッチを筐体１２に取り付けるだけで、制御部４０は棒金収納庫１０の用途等に応じてロック機構６０による収納ドロア１４のロック／ロック解除を適切に制御することができるようになる。
【００６０】
なお、本実施の形態による硬貨収納庫は、上記の態様に限定されるものではなく、様々の変更を加えることができる。
【００６１】
例えば、棒金収納庫として、図１１に示すような、棒金硬貨を収納する棒金収納部１６のみが収納ドロア１４に設けられたものを使用してもよい。すなわち、図１１に示すような棒金収納庫１０ａでは、図１や図２等に示す棒金収納庫１０と比較して、紙葉類または棒金硬貨以外の硬貨を収納する補助収納部２０が設けられていない。このような棒金収納庫１０ａは、紙葉類や棒金硬貨以外の硬貨を収納することができないので、サービスカウンタや後方の金庫室等に単体で設置され、棒金硬貨を収納するための金庫として用いられる場合が多い。
【００６２】
ここで、本発明では、棒金収納庫に設けられた変更手段４６において、図１１に示す棒金収納庫１０ａのように、棒金収納庫に収納されるものが棒金硬貨のみである場合には制御モードとして開放モードが選択され、図１等に示す棒金収納庫１０のように、棒金収納庫に棒金硬貨以外のものを収納することができる場合には制御モードとしてコマンドモードが選択されるようになっていてもよい。すなわち、棒金収納庫に収納されるものが棒金硬貨のみである場合には、このような棒金収納庫は紙葉類や棒金硬貨以外の硬貨を収納することができないので、釣銭機の運用をフォローするような機能を発揮することができず、売り場のレジ等に設置するのは好ましくない。このため、このような棒金収納庫は、サービスカウンタや後方の金庫室等に単体で設置し、棒金硬貨を収納するための金庫として用いることが好ましい。この場合には、ロック機構の制御モードとして、図１０のＳＴＥＰ８〜ＳＴＥＰ１２に示すような、開放モードを選択することが好ましいといえる。一方、棒金収納庫に棒金硬貨以外のものを収納することができる場合には、このような棒金収納庫は釣銭機の運用をフォローするような機能を有しており、釣銭機とともに売り場のレジ等に設置することが好ましい。この場合には、ロック機構の制御モードとして、図１０のＳＴＥＰ３〜７に示すような、コマンドモードを選択することが好ましいといえる。
【００６３】
また、他の変形例としては、変更手段４６として、棒金収納庫１０の筐体１２に対して取り外し自在となっているハードウェアスイッチを用いる代わりに、他の機構を用いてもよい。例えば、変更手段は常時筐体１２の内部において制御部４０に接続されており、この変更手段は、ＰＯＳレジスタ５８や釣銭機５０等の棒金収納庫１０とは別の装置から当該棒金収納庫１０の制御部４０に送信された信号に基づいて、制御部４０におけるロック機構６０の制御内容を変更するようになっていてもよい。この場合には、棒金収納庫１０における各取引の度に、変更手段は、予め設定された複数の制御モードから一の制御モードを選択することにより制御部４０におけるロック機構６０の制御内容を変更することができるようになる。
【符号の説明】
【００６４】
１０、１０ａ  棒金収納庫
１２  筐体
１４  収納ドロア
１４ａ  仕切板
１６  棒金収納部
１６ａ  棒金収納部分
２０  補助収納部
２１  現金外紙葉類収納部分
２２  予備紙幣収納部分
２３  予備硬貨収納部分
２４  異常硬貨収納部分
２５  余剰硬貨収納部分
２６  検出センサ
２６ａ  発光部分
２６ｂ  受光部分
２９  検出センサ
２９ａ  発光部分
２９ｂ  受光部分
３１、３２、３３  スリット
４０  制御部
４２  ロータリエンコーダ
４４  通信インターフェース
４６  変更手段
５０  釣銭機
５２  紙幣釣銭機
５４  硬貨釣銭機
５６  制御部
５８  ＰＯＳレジスタ
６０  ロック機構
６１  ロックアーム
６１ａ  係合部分
６２  回動軸
６３  戻しバネ
６５  ロック板
６６  スライド部材
６７  付勢バネ
６８  遮光板
６９  駆動装置
【図１】
0005638290.tif 000002
【図２】
0005638290.tif 000003
【図３】
0005638290.tif 000004
【図４】
0005638290.tif 000005
【図５】
0005638290.tif 000006
【図６】
0005638290.tif 000007
【図７】
0005638290.tif 000008
【図８】
0005638290.tif 000009
【図９】
0005638290.tif 000010
【図１０】
0005638290.tif 000011
【図１１】
0005638290.tif 000012